(57)【特許請求の範囲】
【請求項１】
原稿読み取り後に、その確認印を原稿に押すスタンプを具備する自動原稿読取装置において、
ソレノイドコイルと鉄芯とを有する昇降機構を備えたスタンプと、
前記ソレノイドコイルへの通電制御を行うことで前記スタンプを昇降させるコントローラと、
前記スタンプの頭部が出没する原稿搬送路を上方から覆う閉じた状態と、前記原稿搬送路を開放した状態と、の間で回動可能に設けられた原稿搬送フレームと、
を備え、
前記スタンプによる押印を行う場合は、前記コントローラは、前記原稿搬送フレームが閉じた状態で、前記ソレノイドコイルに瞬間的に電流を流す通電制御を行って、前記スタンプを瞬時に上下させるようにし、
前記スタンプの交換を行う場合は、前記コントローラは、前記原稿搬送フレームが開放された状態で、前記ソレノイドコイルに所定時間、前記押印の際よりも弱い電流を流す通電制御を行って、前記スタンプが上昇した状態を所定時間保つようにした、ことを特徴とする自動原稿読取装置。
【発明の詳細な説明】
【０００１】
【発明の属する技術分野】
本発明は、原稿読み取り後に、その確認印を原稿に押すスタンプを具備する自動原稿読取装置における、メンテナンス性を向上するための技術に関する。
【０００２】
【従来の技術】
一般的に自動原稿読取装置においては、自動原稿搬送装置（ＡＤＦ）内部の原稿搬送経路に、用紙の読み取りがなされた後、その確認印を押すためのスタンプが配設されており、従来、該スタンプのインクが切れると、ユーザーはサービスマンに連絡をし、直接、来てもらうなどしてスタンプの交換をしていた。
あるいは、ユーザー自身が、ＡＤＦの内部カバーを開けて、その開口部から覗き見ることができるスタンプの印体の頭部を針等で突き刺して引っ掛け、巧妙に抜き出して交換を行っていた。
【０００３】
【発明が解決しようとする課題】
しかしながら、サービスマンの訪問には費用もかかる上、時間帯によってはなかなか到着せず、翌日までさらには数日間待たなければならないこともあった。一方、ユーザー自身が印体を交換をするにしても、前記スタンプの印体を針等で突き刺すのは細かい作業である上に、内部カバーを開いた際の開口部が狭いために作業が行いにくく、また作業中にインクで手を汚すことがあった。
さらには、印体の交換作業を行うためにはなかなかの熟練を要し、慣れないユーザーにとっては手間隙がかかり、また、煩わしく感じることもあった。
【課題を解決するための手段】
【０００４】
本発明は以上のような課題を解決すべく、次のような手段を用いるものである。
すなわち、請求項１記載の如く、原稿読み取り後に、その確認印を原稿に押すスタンプを具備する自動原稿読取装置において、
ソレノイドコイルと鉄芯とを有する昇降機構を備えたスタンプと、
前記ソレノイドコイルへの通電制御を行うことで前記スタンプを昇降させるコントローラと、
前記スタンプの頭部が出没する原稿搬送路を上方から覆う閉じた状態と、前記原稿搬送路を開放した状態と、の間で回動可能に設けられた原稿搬送フレームと、
を備え、
前記スタンプによる押印を行う場合は、前記コントローラは、前記原稿搬送フレームが閉じた状態で、前記ソレノイドコイルに瞬間的に電流を流す通電制御を行って、前記スタンプを瞬時に上下させるようにし、
前記スタンプの交換を行う場合は、前記コントローラは、前記原稿搬送フレームが開放された状態で、前記ソレノイドコイルに所定時間、前記押印の際よりも弱い電流を流す通電制御を行って、前記スタンプが上昇した状態を所定時間保つようにした、ことを特徴とする自動原稿読取装置とする。
【０００６】
本発明の実施の形態を、添付の図面を基に説明する。
図１は自動原稿読取装置を採用するファクシミリの斜視図、図２は同じく側面断面図、図３は同じく記録部に対して読取部を上方回動した状態の側面断面図、図４は通常の状態におけるＡＤＦの側面断面図、図５はカバー類を上方回動した状態の図４図示のＡＤＦの側面断面図、図６は本発明に係るスタンプの側面断面図、図７は本発明に係るスタンプの昇降制御を示すブロック図、図８は本発明に係るスタンプの昇降制御を示す流れ図である。
【０００７】
本発明に係る自動原稿読取装置を有するファクシミリ装置を例にとり、まず、その全体構成から説明する。
図１乃至図３に示すファクシミリ装置は、記録部２の上方に読取部１を配置して構成されている。記録部２には、記録装置３及び給紙カセット４がそれぞれ上下に内装されており、給紙カセット４内に堆積される用紙を記録装置３へ給紙して、記録した後に、記録紙排出トレイ５へ排出するように構成している。
【０００８】
読取部１は、その一部構成体である読取ケース１０の底面より延設されるヒンジ１０ｂが、記録部２に配設されたヒンジピン１ａ上に枢支されていることにより、該記録部２に対して、ヒンジピン１ａを支点として上下回動可能とされている。図３のように読取部１を上方回動すると、記録部２の上面が開放され、記録装置３内のトナーカートリッジの交換等を記録部２の上方より行うことができるのである。
【０００９】
読取部１においては、読取ケース１０内に読取装置６が収納されている。読取ケース１０の上面には、透明状の静止原稿載置ベッド１１を配設しており、該静止原稿載置ベッド１１上に原稿が置かれると、該読取装置６が、図２の実線位置から仮想線位置まで移動して走査を行う。
【００１０】
読取ケース１０の上方には、その一辺を中心として上下開閉可能に構成される原稿押えカバー７が配置され、静止原稿載置ベッド１１上に載置された原稿を原稿押えカバー７により上方から押えるものとしている。
【００１１】
原稿押えカバー７の一端部には、自動原稿搬送装置（以下、「ＡＤＦ」）８が付設されている。ＡＤＦ８の外観は、図１のように、読取装置６の走査方向と直交する方向上にて並列状に、サイドフレーム７ａ・７ｂを立設しており、両サイドフレーム７ａ・７ｂ間に、ＡＤＦ８の原稿搬送部全体を覆うＡＤＦカバー１４が挟まれるように配置されたものとなっている。各サイドフレーム７ａ・７ｂのＡＤＦカバー１４側端部に沿う内側開口面には、図示されない板金製の側板がそれぞれ立状に固設されていて、例えば、後記の各フィードローラのうち、駆動ローラのローラ軸の各軸端を軸支している。サイドフレーム７ａ・７ｂの一方または両方は、該駆動ローラの駆動源及びその伝動系を覆っており、その内側面が該側板にて覆われているのである。
これら原稿押えカバー７と一体状のサイドフレーム７ａ・７ｂ、該両側板、そして、内装される駆動ローラ用駆動源及び伝動系がＡＤＦ８の装置本体を形成し、該装置本体に左右を挟まれて、ＡＤＦカバー１４にて覆われる原稿搬送部が配設されて、ＡＤＦ８全体を構成している。
【００１２】
ＡＤＦ８の給紙口８ａに連なるように、該原稿押えカバー７の上方に原稿供給トレイ９が配設されており、その下方における原稿押えカバー７の上面には、ＡＤＦ８の該給紙口８ａの直下に配置された排紙口８ｂに連なるように、原稿排出トレイ７ｃが一体成形されている。ＡＤＦ８内には、給紙口８ａから排紙口８ｂまで横向きＵの字状の原稿搬送経路が構成されている。
【００１３】
原稿供給トレイ９上に堆積されたシート原稿は、一枚ずつピックアップされ、給紙口８ａに挿入される。ＡＤＦ８にて給紙されてプラテンガラス１２の上を通過する原稿は、図２中で実線にて示した初期位置の読取装置６により読み取られる。読み取られた後の原稿は、排紙口８ｂから原稿排出トレイ７ｃ上に排出される。
【００１４】
このように、読取部１は、読取装置６を走査させて静止原稿を読み取るフラットベッドタイプのスキャナとして用いるとともに、読取装置６を位置固定して原稿をＡＤＦ８に給送しながら読み取りを行うシートフィードタイプのスキャナとして用いることができるように構成されている。
【００１５】
また、読取ケース１０の一側方にはキーパネル１３が付設されている。該キーパネル１３の各種操作キーを押すことにより、原稿内容の読み取りを行ったり、読み取った内容をファクシミリ送信する際の送信先の設定を行ったり、受信内容や読み取った内容の記録装置３による記録を行ったり、様々な操作がなされるのである。
【００１６】
次に自動シート搬送装置のＡＤＦ８の内部構造について説明する。
なお、この説明において、図４及び図５に示す側面視にて、原稿搬送方向を前後方向（原稿搬送路について給紙口８ａ・排紙口８ｂ側を前方、湾曲部（搬送方向折り返し部）側を後方とする。）とし、その水平方向における直交方向を左右方向とする。また、特に断りのない限り、図４に示すように、ＡＤＦカバー１４を閉じ、更に、原稿載置ベッド１１上に何も原稿のない状態で原稿押えカバー７を読取ケース１０の上面上に載置した状態を前提とした通常の状態を前提として、各構造体の上下・前後位置を説明するものとする。
【００１７】
まず、原稿搬送路の流れを概説すると、図４に示すように、ＡＤＦ８には給紙口８ａから排紙口８ｂまで、側面視略「Ｃ」字状又は横向き略「Ｕ」字状の原稿搬送路が形成されている。給紙口８ａの近傍にはピックアップローラ２２が、排紙口８ｂには排紙ローラ３１・３２のニップ部が配設されており、給紙口８ａから排紙口８ｂまでの原稿搬送路に沿って、セパレートローラ２３とリタードローラ２４とのニップ部、第一フィードローラ２５・２６のニップ部、第二フィードローラ２７とジャイアントフィードローラ３０とのニップ部、第三フィードローラ２９とジャイアントフィードローラ３０のニップ部が順に配設されている。
【００１８】
ピックアップローラ２２、セパレートローラ２３、及びリタードローラ２４等により、原稿供給トレイ９上に堆積されたシート原稿を一枚ずつ分離して、給紙口８ａから原稿搬送経路へ給送するようにしている。
【００１９】
前述の各ローラのうち、下側の第一フィードローラ２６、第三フィードローラ２９、ジャイアントフィードローラ３０、及び下側の排紙ローラ３１の各ローラ軸２６ａ・２９ａ・３０ａ・３１ａは、両軸端が、それぞれ前記のＡＤＦ８装置本体の各側板に軸支されて、位置固定されており、このうち該ローラ２６・３０・３１はサイドフレーム７ａ・７ｂのいずれか或いは両方の内部に配設された駆動源及び伝動機構により駆動されるようになっている。すなわち、該ローラ２６・３０・３１は駆動ローラであって、それぞれに接触する各ローラ２５・２７・２９・３２が各駆動ローラに連れ回る従動ローラとなっている。
【００２０】
次に各ローラ等の配置構成を詳説すると、原稿押えカバー７の上面には第三フィードローラ２９及び下側の排出ローラ３２を収納する排紙部下方カバー２１と、ジャイアントローラ３０を収納する読取用ガイドフレーム１９が突設され、該読取用ガイドフレーム１９の前部が該排紙部下方カバー２１の後部を覆うように配置されている。そして、排紙部下方カバー２１を上方から原稿搬送フレーム１６で覆い、その上方から原稿搬送フレーム１６を読取用ガイドフレーム１９諸共にＡＤＦカバー１４で被装する。
【００２１】
前記ＡＤＦカバー１４はその後端部の枢支点３９にて、ＡＤＦ８装置本体の両側板に上下回動自在に枢支され、該ＡＤＦカバー１４内には、前から順にピックアップローラ２２、セパレートローラ２３、上側の第一フィードローラ２５、第二フィードローラ２７を配設し、該ＡＤＦカバー１４の両側板でそれぞれの回転軸２２ａ、２３ａ、２５ａ、２７ａは回転自在に保持されている。
尚、該ローラ２２、２３、２５、２７の配置位置におけるＡＤＦカバー１４の下面にはそれぞれ切欠口を設け、各切欠口より、該ローラ２２、２３、２５、２７の一部を突出させている。
【００２２】
一方、前記原稿搬送フレーム１６はその後端部で下側の第一フィードローラ２６の回転軸２６ａにて、ジャイアントフィードローラ３０を収納した前記読取用ガイドフレーム１９の両側板に上下回動自在に枢支されている。また、原稿搬送フレーム１６内においては、その前部位置に上側の排出ローラ３１を配設し、その前後中間位置にリタードローラ２４を配設し、該原稿搬送フレーム１６の両側板で回転軸３１ａを回転自在に保持している。
尚、該原稿搬送フレーム１６における、該排出ローラ３１の下方及び該リタードローラ２４の上方には、それぞれ切欠口を設け、各切欠口より、該ローラ３１、２４の一部を突出させている。
【００２３】
また、前記排紙部下方カバー２１内において、その前端位置には下側の排出ローラ３２を配設し、その後端位置には第三フィードローラ２９を配設し、該排紙部下方カバー２１の両側板でそれぞれの回転軸３２ａ、２９ａを回転自在に保持している。尚、該ローラ３２、２９の配置位置における排出部下方フレームの上面にはそれぞれ切欠口を設け、各切欠口より、該ローラ３２、２９の一部を突出させている。
【００２４】
こうして、ＡＤＦカバー１４及び原稿搬送フレーム１６を、図４に示す如く、通常位置である閉じた位置にセットすると、セパレートローラ２３がリタードローラ２４に接触し、上側の第一フィードローラ２５が下側の第一フィードローラ２６に接触し、ジャイアントフィードローラ３０においては、その後部位置で第二フィードローラ２７と接触し、その前部位置で第三フィードローラ２９と接触し、さらに、上側の排出ローラ３１と下側の排出ローラ３２とが接触する。メンテナンスや紙ジャムの処理を行う場合には、該枢支点３９を支点にＡＤＦカバー１４を上方に回動して、ＡＤＦ８の内部を開放することができ、更に、ＡＤＦカバー１４をこのように上方回動することによって、図５のように、ローラ軸２６ａを支点とする原稿搬送フレーム１６の上方回動を可能とし、これにより、原稿搬送路を開放して原稿のジャムを処理したり、ローラ類やギア類、プラテンガラス１２等のメンテナンス作業を施すことができる。
【００２５】
次に送信済みの用紙に押印するスタンプ４０の制御機構について説明する。
まず、簡単にスタンプ４０による押印までの流れを説明すると、図４に示すように、スタンプ４０は、排紙部下方カバー２１内における前部位置に昇降可能に収納されており、該排紙部下方カバー２１の上面に切欠口を設けて、該切欠口より該スタンプ４０の頭部を出没させるように構成されている。
そして、前記給紙口８ａより排出口８ｂへと搬送される用紙は、読取後に前記排出ローラ３１・３２の上流側（図４における後部側）で、収納状態のスタンプ４０を上昇させることにより押印され、読取確認がなされる。
【００２６】
次にスタンプ４０の昇降機構について説明する。
周知の通り、円筒状に巻回したコイルに電流を流せば軸方向に磁場を生じ、該磁場中に鉄芯を置けば磁化して磁石となり、一方、この電磁石は電流を切れば、磁化しない状態にもどる。本発明ではこの原理を利用してスタンプ４０の印体４２を昇降させている。
【００２７】
すなわち、図６に示すように、前記スタンプ４０は、円柱状のスタンプ本体４１、鉄製の円筒ケース４４、ソレノイドコイル４５、鉄芯等４６から構成され、円筒状に捲回された該ソレノイドコイル４５を該円筒ケース４４内に埋設し、該円筒ケース４４を載置面２１ｂに固定する。また、該円筒ケース４４の中空下部には鉄芯４６が嵌設され、該鉄芯４６上面には、円筒ケース４４内に摺動自在に嵌装されるスタンプ本体４１が載置されている。
【００２８】
前記円筒ケース４４のソレノイドコイル４５とターミナル４９とをリード線４８により接続し、図７に示すように、該ターミナル４９と、ファクシミリ装置内に設けられるコントローラ３８とを制御線により接続する。
【００２９】
また、図６において、前記スタンプ本体４１は、ゴム印等が貼設された印体４２の下部にフェライト磁石４３を取り付けて形成されており、ソレノイドコイル４５に電流を流して鉄芯４６を磁化させると、該鉄芯４６とフェライト磁石４３とが反発して、スタンプ本体４１が円筒ケース４２内周面に沿って上昇する仕組みである。また、逆にソレノイドコイル４５の電流を切れば、該鉄芯４６は磁化していない状態に戻り、スタンプ本体４１は重力により自然に下降して元位置に収まる。
【００３０】
ここで、前記スタンプ本体４１の昇降のタイミングであるが、原稿の給紙口８ａから排出口８ｂまでの原稿搬送路の適宜位置に光電スイッチ等の位置検出センサを設け、該位置検出センサを前記コントローラ３８に接続する。こうして、該位置検出センサにより原稿の通過を検出し、該コントローラ３８に制御信号を送信する。その結果、該コントローラ３８より通電命令が送信され、ターミナル４９を通じてソレノイドコイル４５に瞬間的に電流を流せば、発生した磁場によりスタンプ本体４１は瞬時に上下し、該原稿の所定位置に押印がなされる。
【００３１】
次に印体４２等から成るスタンプ本体４１の交換について説明する。
図１、図６、及び図７に示すように、前記スタンプ本体４１の昇降を制御するコントローラ３８をキーパネル１３上に配設したスタンプ交換キー３３とも接続する。あるいは、該キーパネル１３の複数の番号キーを所定の順番に押してスタンプ交換モードに設定し、該コントローラ３８に送信する構成などとしてもよく、その操作部とコントローラ３８とを接続してスタンプ交換モードを送信する構成であれば、その制御構成は特に限定するものではない。
【００３２】
こうして、スタンプ４０の印体４２がインク切れしたときには、図５及び図８に示すように、ユーザーは原稿搬送フレーム１６を開放し（ステップＳ１）、この状態でキーパネル１３のスタンプ交換キー３３を押せば（ステップＳ２）、スタンプ本体４１がゆっくりと上昇するように制御する。
【００３３】
すなわち、該スタンプ交換キー３３を押す（ステップＳ２）ことにより、前記コントローラ３８から通電命令が出力され、ターミナル４９を通じてソレノイドコイル４５に電流が流れる（ステップＳ３）。この場合は、ソレノイドコイル４５には所定時間、電流が流され、発生した磁場によりスタンプ本体４１が上昇した状態を保っている間に、該スタンプ本体４１をユーザーは摘み上げて交換を行う。そうして、前記所定時間が経過すれば（ステップＳ４）、前記コントローラ３８から通電解除命令が出力され、ソレノイドコイル４５に流れる電流が切られ（ステップＳ５）、交換済みのスタンプ４０は下降する。
【００３４】
このときのソレノイドコイル４５に流れる電流値は、前記の押印の際にソレノイドコイル４５に流れる電流値よりも弱く設定して、発生する磁場を弱めに調節し、スタンプ本体４１が勢いよく跳び出さないようにその跳び出し量を制御している。
但し、前記ステップＳ１において、原稿搬送フレーム１６を開放していない状態では、無論、スタンプ交換キー３３を押してもソレノイドコイル４５には電流が流れず、スタンプ本体４１が跳び出さないように制御されている。
【００３５】
また、図８に示す流れ図において、ステップＳ１とステップＳ２を入れ替えてもよく、すなわち、スタンプ交換キー３３を押した後、原稿搬送フレーム１６を開放すると、ソレノイドコイル４５に所定時間、電流が流れ、その後電流が切れる構成とするなど、その制御の流れは特に限定するものではない。
【００３６】
付け加えて、図８に示すステップＳ３乃至ステップＳ５における流れを、該スタンプ交換キー３３を一度押すことにより、ソレノイドコイル４５に継続的に電流が流れてスタンプ本体４１を浮き上がらせ、該スタンプ本体４１を交換した後に、再度、該スタンプ交換キー３３を押せば、該ソレノイドコイル４５に流れる電流が切られ、交換したスタンプ本体４１が下降する構成としてもよく、本発明の請求項１に係る特性を示す制御であればその構成についても特に限定するものではない。
【００３７】
このような構成で、ユーザーは、簡単にスタンプ本体４１を取り出すことができ、印体４２の交換を容易に行うことができる。
【００３８】
【発明の効果】
本発明は以上の如く構成したので、以下のような効果を奏ずるものである。
すなわち、請求項１のように、スタンプの交換を行う場合は、コントローラは、原稿搬送フレームが開放された状態で、ソレノイドコイルに所定時間、押印の際よりも弱い電流を流す通電制御を行って、スタンプが上昇した状態を所定時間保つようにしたため、原稿搬送フレームが開放された状態であっても、スタンプが勢いよく跳び出すことがなく、スタンプが上昇した状態を保っている間に、ユーザーは、簡単にスタンプを取り出して、容易に印体の交換を行うことができ、メンテナンス性の向上を図ることができる。
【図面の簡単な説明】
【図１】自動原稿読取装置を採用するファクシミリの斜視図。
【図２】同じく側面断面図。
【図３】同じく記録部に対して読取部を上方回動した状態の側面断面図。
【図４】通常の状態におけるＡＤＦの側面断面図。
【図５】カバー類を上方回動した状態の図４図示のＡＤＦの側面断面図。
【図６】本発明に係るスタンプの側面断面図。
【図７】本発明に係るスタンプの昇降制御を示すブロック図。
【図８】本発明に係るスタンプの昇降制御を示す流れ図。
【符号の説明】
８    ＡＤＦ
１３    キーパネル
２１    排紙部下方カバー
３３    スタンプ交換キー
３８    コントローラ
４０    スタンプ
４１    スタンプ本体
４２    印体
４５    ソレノイドコイル
【図１】
0004085556.tif 000002
【図２】
0004085556.tif 000003
【図３】
0004085556.tif 000004
【図４】
0004085556.tif 000005
【図５】
0004085556.tif 000006
【図６】
0004085556.tif 000007
【図７】
0004085556.tif 000008
【図８】
0004085556.tif 000009